【手続補正書】
【提出日】平成17年9月16日(2005.9.16)
【手続補正１】
【補正対象書類名】明細書
【補正対象項目名】全文
【補正方法】変更
【補正の内容】
【書類名】  明細書
【発明の名称】空気調和機
【特許請求の範囲】
【請求項１】
一側にモータ受け部を備えたベースと、その前部に装着された前面パネルとからなる本体の吸込口と吹出口とを結ぶ空気通路に、熱交換器とクロスフローファンとを設け、同クロスフローファンの側部に、前記モータ受け部とこれに対向するモータクランパとからなるモータ支持部で支持されたファンモータと、リード線により接続された電子部品を備えた制御基板とを設けてなり、
前記制御基板が、前記ベースに固定されると共に、前記電子部品が、前記モータクランパに取り付けられるようにしてなることを特徴とする空気調和機。
【請求項２】
前記電子部品が端子盤または表示基板であることを特徴とする請求項１に記載の空気調和機。
【請求項３】
前記制御基板の背面に保護部材を設けたことを特徴とする請求項１に記載の空気調和機。
【請求項４】
前記制御基板を前記ベースに固定する固定装置が、前記ベースに突設されたボスと、同ボスに対応する挿通孔を備えた固定部および前記制御基板を支持する支持部を備えた基板固定具とからなり、前記挿通孔を通したねじを前記ボスに螺着して前記制御基板が固定されるようにしてなることを特徴とする請求項１〜３に記載の空気調和機。
【請求項５】
前記保護部材に前期ボスに対応する挿通孔を備え、前記ボスに前記基板固定具と共に前記保護部材を螺着してなる事を特徴とする請求項４記載の空気調和機。
【発明の詳細な説明】
【０００１】
【発明の属する技術分野】
本発明は、壁掛け式の空気調和機に係わり、より詳細には、本体を構成するベースに制御基板を直接に取り付けるようにして電装品箱や電装蓋を削減できるようにした構造に関する。
【０００２】
【従来の技術】
従来の壁掛け式の空気調和機は、例えば電装部を、第一駆動モータおよび第二駆動モータを夫々取り付ける第一取付部および第二取付部を備えた電装箱と、同電装箱に前後にスライドして着脱可能に被着され、前記第一駆動モータの背面にこれと平行な第一基板を、前記第二駆動モータの近傍に第二基板を夫々備えた電装蓋とで構成され左右に分割された電装品モジュールとしてユニット化することにより、前記電装部の構造を簡素化し、前記第一駆動モータおよび前記第二駆動モータを容易に取付できるようにし、前記電装部内の基板を容易に取り出せるようにしたものがあった（例えば、特許文献１参照。）。
【０００３】
しかしながら、前記電装部の構造を更に簡素化することによって、作業性をより向上させることができるようにし、また、もっと効果的なコストダウンをはかれるようにするため、例えば前記電装部に組み入れられた制御基板が空気調和機本体を構成するベースに直接に取り付けられるようにしたり、端子盤や表示基板がクロスフローファン用ファンモータのモータクランパに取り付けられるようにして電装品箱や電装蓋を削減できるようにすることが望まれていた。
【０００４】
【特許文献１】
特開２００２−２７６９９１号公報（第１頁〜第４頁、第１図〜第４図）
【０００５】
【発明が解決しようとする課題】
本発明においては、上記の問題点に鑑み、本体を構成するベースに制御基板を直接に取り付けるようにして電装品箱や電装蓋を削減できるようにした壁掛け式の空気調和機を提供することを目的とする。
【０００６】
【課題を解決するための手段】
本発明は、上記課題を解決するため、一側にモータ受け部を備えたベースと、その前部に装着された前面パネルとからなる本体の吸込口と吹出口とを結ぶ空気通路に、熱交換器とクロスフローファンとを設け、同クロスフローファンの側部に、前記モータ受け部とこれに対向するモータクランパとからなるモータ支持部で支持されたファンモータと、リード線により接続された電子部品を備えた制御基板とを設けてなり、
前記制御基板が、前記ベースに固定されると共に、前記電子部品が、前記モータクランパに取り付けられるようにしてなる構成となっている。
【０００７】
また、前記電子部品が端子盤または表示基板からなる構成となっている。
【０００８】
また、前記制御基板の背面に保護部材を設けた構成となっている。
【０００９】
また、前記制御基板を前記ベースに固定する固定装置が、前記ベースに突設されたボスと、同ボスに対応する挿通孔を備えた固定部および前記制御基板を支持する支持部を備えた基板固定具とからなり、前記挿通孔を通したねじを前記ボスに螺着して前記制御基板が固定されるようにしてなる構成となっている。
【００１０】
また、前記保護部材に前期ボスに対応する挿通孔を備え、前記ボスに前記基板固定具と共に前記保護部材を螺着してなる構成となっている。
【００１１】
【００１２】
【００１３】
【００１４】
【００１５】
【００１６】
【００１７】
【００１８】
【発明の実施の形態】
以下、本発明の実施の形態を図面に基づいた実施例として詳細に説明する。
図１は本発明による空気調和機の断面図であり、図２は本発明による空気調和機の分解斜視図であり、図３は本発明による空気調和機の第一の実施例を示す分解斜視図であり、図４は本発明による空気調和機の第二の実施例を示す分解斜視図であり、図５は本発明による空気調和機の要部分解斜視図である。
【００１９】
本発明による空気調和機は、図で示すように、一側にモータ受け部２ａを備えたベース２の前部に前面パネル３が装着されて本体１が構成されている。
【００２０】
本体１の前面上部および上面には、図１および図２で示すように吸込口４が設けられ、前面下部には吹出口５が設けられ、これら吸込口４と吹出口５とを結ぶ空気通路には、フィルタｂと熱交換器６とクロスフローファン７とが設けられている。
【００２１】
前記前面上部の吸込口４には、吸込グリルａが着脱可能に装着されており、前記熱交換器６は、逆Ｖ字状に形成されてその両側部が支持部材ｄで支持されると共に、その上端部には遮風板ｃが設けられることにより、該箇所を吸込空気が熱交換されないまま通過してしまわないように遮風している。
【００２２】
前記吹出口５の上部は前部送風ケーシングｅで構成され、同送風ケーシングｅに突設された支持片により上下風向偏向板ｆが回動自在に支持されて上下方向の風向を偏向できるようになっている。
【００２３】
前記クロスフローファン７の側部には、図２で示すように、前記モータ受け部２ａと、これに対向するモータクランパ８とからなるモータ支持部により支持されたファンモータ９と、端子盤１０および運転情報表示用の表示基板１１が接続されると共に、保護部材１２によって一面が保護された制御基板１３からなる電装部１４とが設けられている。
【００２４】
前記制御基板１３は、上記従来技術で説明したように電装品箱や電装蓋を用いることなく、図３と図４とで示すように、固定装置１５によって前記ベース２に直接に固定されるようになっている。
【００２５】
すなわち、第一の実施例として図３で示すように、前記制御基板１３を前記ベース２に固定する固定装置１５は、前記ベース２に突設されたボス２２と、同ボス２２に対応する挿通孔２３を備えた固定部２４および前記制御基板１３を支持する支持部２５を備えた基板固定具２６とからなり、前記支持部２５で前記制御基板１３を支持し、前記挿通孔２３を通したねじを前記ボス２２に螺着して前記制御基板１３が固定されるようにした構成になっている。
【００２６】
前記ベース２には、前記制御基板１３の下端縁を位置決めするための位置決めリブ２９が複数突設されており、これによって、前記制御基板１３を前記ベース２に正確に位置決めし、且つ容易に固定できるようになっている。
【００２７】
また、前記制御基板１３の背面には、静電ノイズから保護するための保護シート１８からなる保護部材１２が添設される構成となっている。
【００２８】
または、第二の実施例として図４で示すように、前記制御基板１３を前記ベース２に固定する固定装置１５は、前記ベース２に突設されたボス２２と、前記制御基板１３の周縁に係止する係止爪１９を備え、前記制御基板１３の背面を保護する保護面２０からなる保護カバー２１に設けられ、前記ボス２２に対応する固定穴２７を備えた固定フランジ２８とからなり、前記固定穴２７を通したねじを前記ボス２２に螺着して前記制御基板１３が固定されるようにした構成になっている。
【００２９】
なお、前記保護カバー２１を設けたことにより、前記保護シート１８と同様に、前記制御基板１３の背面を静電ノイズから保護できるようになっている。
【００３０】
また、前記モータクランパ８には、前記ファンモータ９に連なる電源コード３０を通す透孔３１が設けられ、前記熱交換器６に連なる配管３２に生じた露を受ける露受板３３が設けられており、これによって前記電源コード３０の引き廻しが容易になって配線の作業性がよくなると共に、前記配管３２から滴下する露を受けて処理できるようになる。
【００３１】
次に、図５に基づいて、前記端子盤１０が、前記モータクランパ８に設けられた第一取付部１６に取り付けられ、前記表示基板１１が、前記モータクランパ８に設けられた第二取付部１７に取り付けられるようにした取付構造について夫々説明する。
【００３２】
前記第一取付部１６は、前記端子盤１０を前記透孔３１に臨ませて位置決めする位置決めリブ３４と、前記端子盤１０の取付穴１０ａに対応するねじ穴３５とで構成され、前記位置決めリブ３４で位置決めされた前記端子盤１０が、前記取付穴１０ａを通したねじを前記ねじ穴３５に螺着して取り付けられるようにしている。
【００３３】
これによって、前記端子盤１０を正確に位置決めして容易に取り付けることができるようになると共に、上記説明のとおり、前記電源コード３０の引き廻しが容易になる。
【００３４】
また、前記第二取付部１７は、前記表示基板１１の裏面を支持する支持片３６と、前記表示基板１１の周縁部に係止する係止爪３７とからなり、前記支持片３６の上端で支持された前記表示基板１１が、その周縁部に前記係止爪３７を係止して取り付けられるようになっている。
【００３５】
その際、前記表示基板１１は、その周縁部に設けられた前記係止爪３７に対応する切欠部１１ａによって位置決めされるようになっている。
【００３６】
これによって、前記表示基板１１を正確に位置決めした状態で簡単に取り付けることができる。
【００３７】
なお、前記表示基板１１は、必ずしも前記モータクランパ８の第一取付部１６に取り付けられるように限定する必要はなく、図示はしないが、例えば前記吹出口５の上部であって前記前面パネル３の左右中央位置に設けられる表示部に対応して取り付けられるようにしてもよい。
【００３８】
【発明の効果】
以上説明したように、本発明によれば、本体を構成するベースに制御基板を直接に取り付けるようにすることによって電装品箱や電装蓋を削減できるようにしたので、電装部の組立の作業性を向上させることができるようになり、且つ大幅なコストダウンを実現できるようにした壁掛け式の空気調和機となる。
【図面の簡単な説明】
【図１】本発明による空気調和機の断面図である。
【図２】本発明による空気調和機の分解斜視図である。
【図３】本発明による空気調和機の第一の実施例を示す分解斜視図である。
【図４】本発明による空気調和機の第二の実施例を示す分解斜視図である。
【図５】本発明による空気調和機の要部分解斜視図である。
【符号の説明】
１ 空気調和機本体
２ ベース
２ａ モータ受け部
３ 前面パネル
４ 吸込口
５ 吹出口
６ 熱交換器
７ クロスフローファン
８ モータクランパ
９ ファンモータ
１０ 端子盤
１０ａ 取付穴
１１ 表示基板
１１ａ 切欠部
１２ 保護部材
１３ 制御基板
１４ 電装部
１５ 固定装置
１６ 第一取付部
１７ 第二取付部
１８ 保護シート
１９ 係止爪
２０ 保護面
２１ 保護カバー
２２ ボス
２３ 挿通孔
２４ 固定部
２５ 支持部
２６ 基板固定具
２７ 固定穴
２８ 固定フランジ
２９ 位置決めリブ
３０ 電源コード
３１ 透孔
３２ 配管
３３ 露受板
３４ 位置決めリブ
３５ ねじ穴
３６ 突出片
３７ 係止爪
ａ 吸込グリル
ｂ フィルタ
ｃ 遮風板
ｄ 支持部材
ｅ 送風ケーシング
ｆ 上下風向偏向板